(57)【要約】【課題】本発明は複数のクライアント端末でネットワークスキャナ装置への読取作業内容の設定を容易に行うネットワークスキャナシステムを提供する。【解決手段】ネットワークスキャナシステム１は、クライアント端末２０が、ネットワークスキャナ装置１０での原稿の読取時の解像度、原稿サイズ等の読取作業内容が設定操作されると、読取作業内容をジョブデータとしてネットワークＮＷを介してネットワークスキャナ装置１０に送信し、ネットワークスキャナ装置１０が、受信したジョブデータに識別子番号を付与してＲＡＭ１２に記憶した後、識別子をクライアント端末２０に送信し、クライアント端末２０が、受信した識別子番号をディスプレイに表示し、ネットワークスキャナ装置１０が、操作部１６から識別子番号が入力されると、ＲＡＭ１２の当該入力された識別子番号に対応するジョブデータで指定されている読取作業内容に応じた読取処理を行う。【選択図】          図１
2004282145.tif 000002
【特許請求の範囲】
【請求項１】
ネットワークに、少なくとも指定の読取作業内容に応じて原稿の画像を読み取るネットワークスキャナ装置と、当該ネットワークスキャナ装置との間で当該ネットワークを介して通信を行うクライアント端末とが接続されているネットワークスキャナシステムにおいて、前記クライアント端末は、前記ネットワークスキャナ装置での原稿の読取時の解像度、原稿サイズ等の読取作業内容が設定操作されると、当該読取作業内容をジョブデータとして前記ネットワークを介して前記ネットワークスキャナ装置に送信し、前記ネットワークスキャナ装置は、前記ジョブデータを受信すると、当該ジョブデータに当該ジョブデータを識別する識別子を付与して当該ジョブデータを当該識別子に関連付けて記憶手段に記憶した後、当該識別子を前記ネットワークを介して前記クライアント端末に送信し、前記クライアント端末は、当該識別子を受信すると、表示手段に当該識別子を表示出力し、前記ネットワークスキャナ装置は、操作手段から識別子が入力されると、前記記憶手段から当該入力された識別子に対応する前記ジョブデータを読み出して、当該ジョブデータで指定されている前記読取作業内容に応じた読取処理を行うことを特徴とするネットワークスキャナシステム。
【請求項２】
前記ネットワークスキャナ装置は、前記識別子として、１から始まる整数を前記受信したジョブデータ毎に順次付与することを特徴とする請求項１記載のネットワークスキャナシステム。
【請求項３】
前記ネットワークスキャナ装置は、前記記憶手段に記憶した前記識別子と前記ジョブデータを、当該ジョブデータに従って前記読取処理を行うと、削除することを特徴とする請求項１または請求項２記載のネットワークスキャナシステム。
【請求項４】
前記記憶手段は、揮発性ＲＡＭであることを特徴とする請求項１から請求項３のいずれかに記載のネットワークスキャナシステム。
【請求項５】
前記作業内容は、前記ネットワークスキャナ装置が読み取った原稿の画像データの前記ネットワークを介しての送信先情報を含み、前記ネットワークスキャナ装置は、当該送信先情報に基づいて読み取った原稿の画像データを前記ネットワークを介して送信することを特徴とする請求項１から請求項４のいずれかに記載のネットワークスキャナシステム。
【請求項６】
前記ネットワークスキャナ装置は、ウェブサーバ機能を備え、前記クライアント端末との通信をウェブブラウザを利用して行い、当該クライアント端末のウェブブラウザにＣＧＩを利用して前記識別子を通知することを特徴とする請求項１から請求項４のいずれかに記載のネットワークスキャナシステム。
【発明の詳細な説明】
【０００１】
【発明の属する技術分野】
本発明は、ネットワークスキャナシステムに関し、詳細には、複数のクライアント端末が利用するネットワークスキャナ装置への読取作業内容の設定を安価にかつ容易に行うネットワークスキャナシステムに関する。
【０００２】
【従来の技術】
【特許文献１】
特開２０００−３１３１５０号公報
【特許文献２】
特開平９−２０４５１５号公報
近時、ネットワーク接続可能なネットワークスキャナ装置が出現し、複数のクライアント端末の接続されているネットワークに、当該ネットワークの一端末としてネットワークスキャナ装置が接続されるようになってきている。
【０００３】
このようなネットワークに接続されたネットワークスキャナ装置においては、原稿サイズ、解像度、階調等の読取条件の設定は、従来、一般的に、以下の２通りの方法で行われている。
【０００４】
▲１▼ユーザが、原稿をセットした後、ネットワークスキャナ装置の操作部から読取条件を設定して、読み取りを行わせる方法。
【０００５】
▲２▼ユーザが、予めクライアント端末で読取条件を設定し、その後、ネットワークスキャナ装置に原稿をセットして、読み取りを行わせる方法。
【０００６】
▲１▼の方法では、ネットワークスキャナ装置に当該読取条件の設定を行うのに必要な操作部を設ける必要があるが、快適に読取条件が設定できるように大型の操作部を設けると、ネットワークスキャナ装置の価格が大幅に高くなる。そこで、従来のネットワークスキャナ装置では、例えば、１行または２行程度の文章の表示を行うことのできる小型の表示部と、スタートボタン、ストップボタン等の各種キーのみを備えた簡素な操作部が設けられていることが多いが、このような簡素な操作部で、操作を行うには、操作性が悪いという問題があった。
【０００７】
▲２▼の方法では、クライアント端末が、通常大型のディスプレイを備えているため、必要な操作情報を表示して、快適な読取条件の設定を行うことができる。
【０００８】
このようなクライアント端末で読取条件の設定を行う従来技術としては、例えば、本出願人が、先に、操作パネルからのキー入力に従って画像機器の動作制御を行う機器制御部と、操作パネルから入力される一連のキー入力操作情報を識別情報とともに記憶するキー入力記憶部と、識別情報を元にキー入力記憶部に記憶されて一連のキー入力切換部とを有する画像機器の入力制御システムを提案している（特許文献１参照）。
【０００９】
すなわち、この従来技術は、クライアント端末で設定された読取条件を識別子とともにジョブデータとして保存・管理して、ネットワークスキャナ装置の操作性の向上を図っている。
【００１０】
ところが、この従来技術にあっては、ネットワークスキャナ装置は、ネットワーク上では、複数のクライアント端末から同時に使用されることがあるため、このような場合の対処をいかにするかが課題となる。
【００１１】
そして、また、本出願人は、クライアント端末からネットワークに接続されたネットワークスキャナ装置に対して、読取解像度等のスキャナ条件情報を事前に送り、ネットワークスキャナ装置にて上記スキャナ条件情報を操作パネルのメニューから選択し、読取動作を行って、自動的に上記クライアント端末に対してスキャンデータを送るネットワークスキャナ装置を提案している（特許文献２参照）。
【００１２】
【発明が解決しようとする課題】
しかしながら、このような従来のネットワークスキャナ装置にあっては、いずれも複数のジョブデータを一覧で表示する画面を備えた表示部が必要であり、また、ネットワークスキャナ装置では、その使用形態から、複数の離れたクライアント端末から同時に利用される可能性があるため、複数のクライアント端末からの複数のジョブを一覧で表示して選択することのできる画面を備えた表示部が必要となり、このような表示を行うことのできる大型の画面がネットワークスキャナ装置に必要となる。
【００１３】
ところが、ネットワークスキャナ装置に設けられる表示パネルは、一般的に、液晶ディスプレイが用いられるが、液晶ディスプレイは、その画面サイズが大きくなると、その価格が極端に高くなり、ネットワークスキャナ装置自体の価格が高くなるという問題があった。
【００１４】
そこで、請求項１記載の発明は、ネットワークに接続されたクライアント端末が、当該ネットワークに接続されているネットワークスキャナ装置での原稿の読取時の解像度、原稿サイズ等の読取作業内容が設定操作されると、当該読取作業内容をジョブデータとしてネットワークを介してネットワークスキャナ装置に送信し、ネットワークスキャナ装置が、ジョブデータを受信すると、当該ジョブデータに当該ジョブデータを識別する識別子を付与して当該ジョブデータを当該識別子に関連付けて記憶手段に記憶した後、当該識別子をネットワークを介してクライアント端末に送信し、クライアント端末が、当該識別子を受信すると、表示手段に当該識別子を表示出力し、ネットワークスキャナ装置が、操作手段から識別子が入力されると、記憶手段から当該入力された識別子に対応するジョブデータを読み出して、当該ジョブデータで指定されている読取作業内容に応じた読取処理を行うことにより、クライアント端末の大きなディスプレイを使用してネットワークスキャナ装置での読取作業内容を設定して、当該作業内容を示すジョブデータに付与されてクライアント端末のディスプレイに表示される識別子を暗記または用紙に記載して、ネットワークスキャナ装置の操作部で入力するだけで、複数のクライアント端末の利用するネットワークスキャナ装置に、個々のクライアント端末で設定した読取作業内容に応じて読取動作を行わせ、ネットワークスキャナ装置の操作部の表示画面を大型化することなく、安価でかつ操作性が良好なネットワークスキャナシステムを提供することを目的としている。
【００１５】
請求項２記載の発明は、ネットワークスキャナ装置が、識別子として、１から始まる整数を受信したジョブデータ毎に順次付与することにより、識別子をクライアント端末のオペレータが簡単に記憶することのできるものとして、いちいち識別子を用紙等に記載する手間を省き、安価でかつより一層操作性が良好なネットワークスキャナシステムを提供することを目的としている。
【００１６】
請求項３記載の発明は、ネットワークスキャナ装置が、記憶手段に記憶した識別子とジョブデータを、当該ジョブデータに従って読取処理を行うと、削除することにより、不要なジョブデータが記憶手段に蓄積され続けて増大することを防止し、また、整数を識別子として割り当てる場合には、識別子の番号が大きな数字となることを防止し、記憶手段の容量を節約して、より一層安価でかつより一層操作性が良好なネットワークスキャナシステムを提供することを目的としている。
【００１７】
請求項４記載の発明は、記憶手段として、揮発性ＲＡＭを用いることにより、ジョブデータと識別子を記憶するための記憶手段を専用に設けることなく、ネットワークスキャナ装置が通常備えているワークメモリとしてのＲＡＭを記憶手段として利用できるようにし、より一層安価でかつ操作性が良好なネットワークスキャナシステムを提供することを目的としている。
【００１８】
請求項５記載の発明は、作業内容として、ネットワークスキャナ装置が読み取った原稿の画像データのネットワークを介しての送信先情報を設定し、ネットワークスキャナ装置が、当該送信先情報に基づいて読み取った原稿の画像データをネットワークを介して送信することにより、画像データの利用性を向上させ、より一層操作性の良好なネットワークスキャナシステムを提供することを目的としている。
【００１９】
請求項６記載の発明は、ネットワークスキャナ装置が、ウェブサーバ機能を備え、クライアント端末との通信をウェブブラウザを利用して行い、当該クライアント端末のウェブブラウザにＣＧＩを利用して識別子を通知することにより、専用のプログラムを用いることなく、また、当該専用のプログラムをネットワークスキャナ装置を利用する全てのクライアント端末にインストールすることなく、ウェブブラウザのみで処理し、システムの投資コストと管理者の負担を削減して、より一層安価で操作性の良好なネットワークスキャナシステムを提供することを目的としている。
【００２０】
【課題を解決するための手段】
請求項１記載の発明のネットワークスキャナシステムは、ネットワークに、少なくとも指定の読取作業内容に応じて原稿の画像を読み取るネットワークスキャナ装置と、当該ネットワークスキャナ装置との間で当該ネットワークを介して通信を行うクライアント端末とが接続されているネットワークスキャナシステムにおいて、前記クライアント端末は、前記ネットワークスキャナ装置での原稿の読取時の解像度、原稿サイズ等の読取作業内容が設定操作されると、当該読取作業内容をジョブデータとして前記ネットワークを介して前記ネットワークスキャナ装置に送信し、前記ネットワークスキャナ装置は、前記ジョブデータを受信すると、当該ジョブデータに当該ジョブデータを識別する識別子を付与して当該ジョブデータを当該識別子に関連付けて記憶手段に記憶した後、当該識別子を前記ネットワークを介して前記クライアント端末に送信し、前記クライアント端末は、当該識別子を受信すると、表示手段に当該識別子を表示出力し、前記ネットワークスキャナ装置は、操作手段から識別子が入力されると、前記記憶手段から当該入力された識別子に対応する前記ジョブデータを読み出して、当該ジョブデータで指定されている前記読取作業内容に応じた読取処理を行うことにより、上記目的を達成している。
【００２１】
上記構成によれば、ネットワークに接続されたクライアント端末が、当該ネットワークに接続されているネットワークスキャナ装置での原稿の読取時の解像度、原稿サイズ等の読取作業内容が設定操作されると、当該読取作業内容をジョブデータとしてネットワークを介してネットワークスキャナ装置に送信し、ネットワークスキャナ装置が、ジョブデータを受信すると、当該ジョブデータに当該ジョブデータを識別する識別子を付与して当該ジョブデータを当該識別子に関連付けて記憶手段に記憶した後、当該識別子をネットワークを介してクライアント端末に送信し、クライアント端末が、当該識別子を受信すると、表示手段に当該識別子を表示出力し、ネットワークスキャナ装置が、操作手段から識別子が入力されると、記憶手段から当該入力された識別子に対応するジョブデータを読み出して、当該ジョブデータで指定されている読取作業内容に応じた読取処理を行うので、クライアント端末の大きなディスプレイを使用してネットワークスキャナ装置での読取作業内容を設定して、当該作業内容を示すジョブデータに付与されてクライアント端末のディスプレイに表示される識別子を暗記または用紙に記載して、ネットワークスキャナ装置の操作部で入力するだけで、複数のクライアント端末の利用するネットワークスキャナ装置に、個々のクライアント端末で設定した読取作業内容に応じて読取動作を行わせることができ、ネットワークスキャナ装置の操作部の表示画面を大型化することなく、安価なものとすることができるとともに、操作性を向上させることができる。
【００２２】
この場合、例えば、請求項２に記載するように、前記ネットワークスキャナ装置は、前記識別子として、１から始まる整数を前記受信したジョブデータ毎に順次付与するものであってもよい。
【００２３】
上記構成によれば、ネットワークスキャナ装置が、識別子として、１から始まる整数を受信したジョブデータ毎に順次付与するので、識別子をクライアント端末のオペレータが簡単に記憶することのできるものとして、いちいち識別子を用紙等に記載する手間を省くことができ、安価なものとすることができるとともに、操作性をより一層向上させることができる。
【００２４】
また、例えば、請求項３に記載するように、前記ネットワークスキャナ装置は、前記記憶手段に記憶した前記識別子と前記ジョブデータを、当該ジョブデータに従って前記読取処理を行うと、削除するものであってもよい。
【００２５】
上記構成によれば、ネットワークスキャナ装置が、記憶手段に記憶した識別子とジョブデータを、当該ジョブデータに従って読取処理を行うと、削除するので、不要なジョブデータが記憶手段に蓄積され続けて増大することを防止することができるとともに、整数を識別子として割り当てる場合には、識別子の番号が大きな数字となることを防止することができ、記憶手段の容量を節約して、より一層安価なものとすることができるとともに、操作性をより一層向上させることができる。
【００２６】
さらに、例えば、請求項４に記載するように、前記記憶手段は、揮発性ＲＡＭであってもよい。
【００２７】
上記構成によれば、記憶手段として、揮発性ＲＡＭを用いているので、ジョブデータと識別子を記憶するための記憶手段を専用に設けることなく、ネットワークスキャナ装置が通常備えているワークメモリとしてのＲＡＭを記憶手段として利用することができ、より一層安価なものとすることができるとともに、操作性を向上させることができる。
【００２８】
また、例えば、請求項５に記載するように、前記作業内容は、前記ネットワークスキャナ装置が読み取った原稿の画像データの前記ネットワークを介しての送信先情報を含み、前記ネットワークスキャナ装置は、当該送信先情報に基づいて読み取った原稿の画像データを前記ネットワークを介して送信するものであってもよい。
【００２９】
上記構成によれば、作業内容として、ネットワークスキャナ装置が読み取った原稿の画像データのネットワークを介しての送信先情報を設定し、ネットワークスキャナ装置が、当該送信先情報に基づいて読み取った原稿の画像データをネットワークを介して送信するので、画像データの利用性を向上させることができ、より一層操作性を向上させることができる。
【００３０】
さらに、例えば、請求項６に記載するように、前記ネットワークスキャナ装置は、ウェブサーバ機能を備え、前記クライアント端末との通信をウェブブラウザを利用して行い、当該クライアント端末のウェブブラウザにＣＧＩを利用して前記識別子を通知するものであってもよい。
【００３１】
上記構成によれば、ネットワークスキャナ装置が、ウェブサーバ機能を備え、クライアント端末との通信をウェブブラウザを利用して行い、当該クライアント端末のウェブブラウザにＣＧＩを利用して識別子を通知するので、専用のプログラムを用いることなく、また、当該専用のプログラムをネットワークスキャナ装置を利用する全てのクライアント端末にインストールすることなく、ウェブブラウザのみで処理することができ、システムの投資コストと管理者の負担を削減して、より一層安価なものとすることができるとともに、操作性を向上させることができる。
【００３２】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００３３】
図１及び図２は、本発明のネットワークスキャナシステムの一実施の形態を示す図であり、図１は、本発明のネットワークスキャナシステムの一実施の形態を適用したネットワークスキャナシステム１のシステム構成図である。
【００３４】
図１において、ネットワークスキャナシステム１は、ＬＡＮ（Ｌｏｃａｌ  Ａｒｅａ  Ｎｅｔｗｏｒｋ）等のネットワークＮＷにネットワークスキャナ装置１０と複数（図１では、１つのみ記載）のクライアント端末２０が接続されている。
【００３５】
ネットワークスキャナ装置１０は、ＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）１２、ＲＯＭ（Ｒｅａｄ  Ｏｎｌｙ  Ｍｅｍｏｒｙ）１３、読取制御部１４、ネットワークＩ／Ｆ部１５及び操作部１６等備えており、主要各部は、バス１７で接続されている。
【００３６】
ＲＯＭ１３は、ネットワークスキャナ１０の基本処理プログラムと後述する読取作業内容設定制御処理プログラム及びこれらの各処理を実行するのに必要な各種データを格納しており、ＲＡＭ（記憶手段）１２は、ＣＰＵ１１のワークメモリとして利用され、ネットワークスキャナ装置１０の動作制御を行う上で必要な各種データ、特に、読取作業内容設定制御処理で使用する読取作業内容のジョブデータと当該ジョブデータに対して割り振られる識別子番号（識別子）等を記憶する。
【００３７】
ＣＰＵ１１は、ＲＯＭ１３のプログラムに基づいて、ネットワークスキャナ装置１０の各部を制御して、ネットワークスキャナ装置１０としての基本動作処理を実行するとともに、読取作業内容設定制御処理を実行する。
【００３８】
読取制御部１４は、図示しない読取部をＣＰＵ１１の制御下で制御して、読取面にセットされた原稿を主走査・副走査させて、読取作業内容設定制御処理で設定された読取作業内容で、原稿の画像を読み取る。
【００３９】
ネットワークＩ／Ｆ部１５には、上記ネットワークＮＷが接続されており、ＣＰＵ１１の制御下で、クライアント端末２０との間での各種コマンド及び通信制御信号のやりとり、特に、読取作業内容設定制御処理で使用するジョブデータの受信と、識別子番号の送信を制御する。
【００４０】
操作部（操作手段）１６は、スタートキー、ストップキー、識別子番号を入力するテンキー等の各種キー及び小型の表示部等を備えている。
【００４１】
上記クライアント端末２０は、例えば、クライアントコンピュータ等が用いられ、クライアント端末本体、ディスプレイ（表示手段）、キーボード、マウス等を備えている。クライアント端末２０は、ネットワークＮＷに接続され、ネットワークＮＷを介してネットワークスキャナ装置１０との間で各種コマンド、通信制御信号及び各種データ、特に、後述する読取作業内容をジョブデータとして送信し、また、ネットワークスキャナ装置１０から当該送信したジョブデータを識別する識別子番号を受信するとともに、ネットワークスキャナ装置１０の読み取った原稿の画像データを受信する。すなわち、ネットワークスキャナ装置１０は、少なくともネットワークスキャナ装置１０に読取作業内容を設定してジョブデータとして送信するとともに、ネットワークスキャナ装置１０で当該ジョブデータに対して付与された識別子番号を受信する読取作業内容設定アプリケーションを搭載している。
【００４２】
次に、本実施の形態の作用を説明する。本実施の形態のネットワークスキャナシステム１は、クライアント端末２０で設定されたネットワークスキャナ装置１０での読取作業内容を、クライアント端末２０からジョブデータとしてネットワークスキャナ装置１０に送信すると、ネットワークスキャナ装置１０で当該ジョブデータに識別子番号を付与して記憶するとともに、当該識別子番号をクライアント端末２０に送信し、クライアント端末２０のオペレータがネットワークスキャナ装置１０で原稿をセットして当該識別子番号を入力すると、ネットワークスキャナ装置１０が当該識別子番号に対応する読取作業内容に基づいて原稿の読み取りを行う。
【００４３】
すなわち、図２に示すように、クライアント端末２０のオペレータが、読取作業内容設定アプリケーションを起動して、当該読取作業内容設定アプリケーションによりクライアント端末２０のディスプレイに表示される読取作業内容設定画面で、必要な読取作業内容を設定して、読取作業内容の設定の完了を示す入力操作を行うと、読取作業内容設定アプリケーションが、当該設定された読取作業内容をジョブデータとして作成し（ステップＳ１０２）、当該ジョブデータをネットワークＮＷを介してネットワークスキャナ装置１０に送信する（ステップＳ１０３）。この読取作業内容としては、例えば、読取原稿サイズ、解像度等のネットワークスキャナ装置１０での原稿の読取作業内容であり、オペレータは、この読取作業内容の設定において、上記通常の読取作業内容だけでなく、ネットワークスキャナ装置１０に読み取った原稿の画像データを特定の相手先にネットワークＮＷを介して電子メール（Ｅ−ｍａｉｌ）等で送信を依頼する場合には、当該送信先の宛先情報等を設定することができる。
【００４４】
ネットワークスキャナ装置１０は、ネットワークＮＷを介してジョブデータが送信されてくると、当該ジョブデータをネットワークＩ／Ｆ部１５で受信し（ステップＳ２０１）、ＣＰＵ１１は、ネットワークＩ／Ｆ部１５がジョブデータを受信したことを検出すると、当該ジョブデータに対して、固有の識別子番号を作成して付与して（ステップＳ２０２）、当該付与した識別子番号とジョブデータを関連付けてＲＡＭ１２に格納する（ステップＳ２０３）。なお、識別子番号とジョブデータの保存先としては、ＲＡＭ１２に限るものではなく、ＲＯＭ１３に保存してもよいし、専用のメモリを設けて当該メモリに保存してもよい。
【００４５】
そして、ＣＰＵ１１は、ジョブデータに付与する識別子番号として、ジョブデータの受信順に、「１」から順番に空いている整数を割り当てる。例えば、他のクライアント端末２０または同じクライアント端末２０であっても既にジョブデータを受信していると、当該ジョブデータが消去されていない限り、当該ジョブデータに対して順番に割り当てた識別子番号の次の整数、例えば、既に３つのジョブデータを受信していて、「３」までの識別子番号が付与されていると、「３」の次の整数である「４」を、今回受信したジョブデータに対して、識別子番号として付与する。
【００４６】
そして、ＣＰＵ１１は、識別子番号を付与してＲＡＭ１２に格納すると、当該付与した識別子番号を、当該識別子番号のジョブデータを送信してきたクライアント端末２０にネットワークＩ／Ｆ部１５からネットワークＮＷを介して送信する（ステップＳ２０４）。
【００４７】
クライアント端末２０は、識別子番号がネットワークスキャナ装置１０から送信されてくると、当該識別子番号を受信し（ステップＳ１０４）、読取作業内容設定アプリケーションが、当該受信した識別子番号をディスプレイに表示する（ステップＳ１０５）。
【００４８】
クライアント端末２０のオペレータは、当該ディスプレイに表示される識別子番号を暗記またはメモ用紙に記載する等して、ネットワークスキャナ装置１０に読み取らせる原稿を持ってネットワークスキャナ装置１０の設置されている場所に行き、ネットワークスキャナ装置１０に原稿をセットして、操作部１６から当該識別子番号を入力する（ステップＳ２０５）。
【００４９】
ネットワークスキャナ装置１０は、識別子番号が操作部１６から入力されると、ＣＰＵ１１がＲＡＭ１２を検索して、入力された識別子番号と一致する識別子番号が有るかチェックし、一致する識別子番号あると、当該識別子番号に関連付けられているジョブデータを特定する（ステップＳ２０６）。
【００５０】
ＣＰＵ１１は、ジョブデータを特定すると、当該ジョブデータの読取作業内容を読取制御部１４に渡して、当該読取作業内容でセットされた原稿の読み取りを行う（ステップＳ２０７）。
【００５１】
ＣＰＵ１１は、原稿の読み取りが完了すると、当該原稿の読み取りに使用したジョブデータ及び対応する識別子番号をＲＡＭ１２から消去し、処理を終了する（ステップＳ２０８）。
【００５２】
なお、ジョブデータに読み取った画像データの送信先情報が含まれているときには、ＣＰＵ１１は、当該送信先情報宛に、読み取った原稿の画像データを電子メールで送信する。
【００５３】
また、上記説明においては、クライアント端末２０に読取作業内容設定アプリケーションを搭載して、当該読取作業内容設定アプリケーションの元で、読取作業内容の設定とジョブデータの送信を行っているが、読取作業内容設定アプリケーションを搭載することなく、ネットワークスキャナ装置１０にＷｅｂ（ウェブ）サーバ機能を設け、クライアント端末２０との交信をＷｅｂブラウザを介して行い、当該Ｗｅｂブラウザの表示画面やジョブデータの受取から識別子番号の通知までの処理を、ＣＧＩ（Ｃｏｍｐｕｔｅｒ  Ｇｒａｐｈｉｃｓ  Ｉｎｔｅｒｆａｃｅ）を利用して行うようにしてもよい。
【００５４】
このように、本実施の形態のネットワークスキャナシステム１は、ネットワークＮＷに接続されたクライアント端末２０が、ネットワークＮＷに接続されているネットワークスキャナ装置１０での原稿の読取時の解像度、原稿サイズ等の読取作業内容が設定操作されると、当該読取作業内容をジョブデータとしてネットワークＮＷを介してネットワークスキャナ装置１０に送信し、ネットワークスキャナ装置１０が、ジョブデータを受信すると、当該ジョブデータに当該ジョブデータを識別する識別子番号を付与して当該ジョブデータを当該識別子番号に関連付けてＲＡＭ１２に記憶した後、当該識別子をネットワークＮＷを介してクライアント端末２０に送信し、クライアント端末２０が、当該識別子番号を受信すると、ディスプレイに当該識別子番号を表示出力し、ネットワークスキャナ装置１０が、操作部１６から識別子番号が入力されると、ＲＡＭ１２から当該入力された識別子番号に対応するジョブデータを読み出して、当該ジョブデータで指定されている読取作業内容に応じた読取処理を行っている。
【００５５】
したがって、クライアント端末２０の大きなディスプレイを使用してネットワークスキャナ装置１０での読取作業内容を設定して、当該作業内容を示すジョブデータに付与されてクライアント端末２０のディスプレイに表示される識別子番号を暗記または用紙に記載して、ネットワークスキャナ装置１０の操作部１６で入力するだけで、複数のクライアント端末２０の利用するネットワークスキャナ装置１０に、個々のクライアント端末２０で設定した読取作業内容に応じて読取動作を行わせることができ、ネットワークスキャナ装置１０の操作部１６の表示画面を大型化することなく、安価なものとすることができるとともに、操作性を向上させることができる。
【００５６】
また、本実施の形態のネットワークスキャナシステム１は、ネットワークスキャナ装置１０が、識別子番号として、「１」から始まる整数を受信したジョブデータ毎に順次付与している。
【００５７】
したがって、識別子番号をクライアント端末２０のオペレータが簡単に記憶することのできるものとして、いちいち識別子番号を用紙等に記載する手間を省くことができ、安価なものとすることができるとともに、操作性をより一層向上させることができる。
【００５８】
さらに、本実施の形態のネットワークスキャナシステム１は、ネットワークスキャナ装置１０が、ＲＡＭ１２に記憶した識別子番号とジョブデータを、当該ジョブデータに従って読取処理を行うと、削除している。
【００５９】
したがって、不要なジョブデータがＲＡＭ１２に蓄積され続けて増大することを防止することができるとともに、整数を識別子番号として割り当てる場合には、識別子番号が大きな数字となることを防止することができ、ＲＡＭ１２の容量を節約して、より一層安価なものとすることができるとともに、操作性をより一層向上させることができる。
【００６０】
また、本実施の形態のネットワークスキャナシステム１は、記憶手段として、揮発性ＲＡＭ１２を用いている。
【００６１】
したがって、ジョブデータと識別子番号を記憶するための記憶手段を専用に設けることなく、ネットワークスキャナ装置１０が通常備えているワークメモリとしてのＲＡＭ１２を記憶手段として利用することができ、より一層安価なものとすることができるとともに、操作性を向上させることができる。
【００６２】
さらに、本実施の形態のネットワークスキャナシステム１は、作業内容として、ネットワークスキャナ装置１０が読み取った原稿の画像データのネットワークＮＷを介しての送信先情報を設定し、ネットワークスキャナ装置１０が、当該送信先情報に基づいて読み取った原稿の画像データをネットワークＮＷを介して送信する。
【００６３】
したがって、画像データの利用性を向上させることができ、より一層操作性を向上させることができる。
【００６４】
また、本実施の形態のネットワークスキャナシステム１は、ネットワークスキャナ装置１０が、ウェブサーバ機能を備え、クライアント端末２０との通信をウェブブラウザを利用して行い、当該クライアント端末２０のウェブブラウザにＣＧＩを利用して識別子番号を通知している。
【００６５】
したがって、専用のプログラムを用いることなく、また、当該専用のプログラムをネットワークスキャナ装置１０を利用する全てのクライアント端末２０にインストールすることなく、ウェブブラウザのみで処理することができ、システム１の投資コストと管理者の負担を削減して、より一層安価なものとすることができるとともに、操作性を向上させることができる。
【００６６】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００６７】
【発明の効果】
請求項１記載の発明のネットワークスキャナシステムによれば、ネットワークに接続されたクライアント端末が、当該ネットワークに接続されているネットワークスキャナ装置での原稿の読取時の解像度、原稿サイズ等の読取作業内容が設定操作されると、当該読取作業内容をジョブデータとしてネットワークを介してネットワークスキャナ装置に送信し、ネットワークスキャナ装置が、ジョブデータを受信すると、当該ジョブデータに当該ジョブデータを識別する識別子を付与して当該ジョブデータを当該識別子に関連付けて記憶手段に記憶した後、当該識別子をネットワークを介してクライアント端末に送信し、クライアント端末が、当該識別子を受信すると、表示手段に当該識別子を表示出力し、ネットワークスキャナ装置が、操作手段から識別子が入力されると、記憶手段から当該入力された識別子に対応するジョブデータを読み出して、当該ジョブデータで指定されている読取作業内容に応じた読取処理を行うので、クライアント端末の大きなディスプレイを使用してネットワークスキャナ装置での読取作業内容を設定して、当該作業内容を示すジョブデータに付与されてクライアント端末のディスプレイに表示される識別子を暗記または用紙に記載して、ネットワークスキャナ装置の操作部で入力するだけで、複数のクライアント端末の利用するネットワークスキャナ装置に、個々のクライアント端末で設定した読取作業内容に応じて読取動作を行わせることができ、ネットワークスキャナ装置の操作部の表示画面を大型化することなく、安価なものとすることができるとともに、操作性を向上させることができる。
【００６８】
請求項２記載の発明のネットワークスキャナシステムによれば、ネットワークスキャナ装置が、識別子として、１から始まる整数を受信したジョブデータ毎に順次付与するので、識別子をクライアント端末のオペレータが簡単に記憶することのできるものとして、いちいち識別子を用紙等に記載する手間を省くことができ、安価なものとすることができるとともに、操作性をより一層向上させることができる。
【００６９】
請求項３記載の発明のネットワークスキャナシステムによれば、ネットワークスキャナ装置が、記憶手段に記憶した識別子とジョブデータを、当該ジョブデータに従って読取処理を行うと、削除するので、不要なジョブデータが記憶手段に蓄積され続けて増大することを防止することができるとともに、整数を識別子として割り当てる場合には、識別子の番号が大きな数字となることを防止することができ、記憶手段の容量を節約して、より一層安価なものとすることができるとともに、操作性をより一層向上させることができる。
【００７０】
請求項４記載の発明のネットワークスキャナシステムによれば、記憶手段として、揮発性ＲＡＭを用いているので、ジョブデータと識別子を記憶するための記憶手段を専用に設けることなく、ネットワークスキャナ装置が通常備えているワークメモリとしてのＲＡＭを記憶手段として利用することができ、より一層安価なものとすることができるとともに、操作性を向上させることができる。
【００７１】
請求項５記載の発明のネットワークスキャナシステムによれば、作業内容として、ネットワークスキャナ装置が読み取った原稿の画像データのネットワークを介しての送信先情報を設定し、ネットワークスキャナ装置が、当該送信先情報に基づいて読み取った原稿の画像データをネットワークを介して送信するので、画像データの利用性を向上させることができ、より一層操作性を向上させることができる。
【００７２】
請求項６記載の発明のネットワークスキャナシステムによれば、ネットワークスキャナ装置が、ウェブサーバ機能を備え、クライアント端末との通信をウェブブラウザを利用して行い、当該クライアント端末のウェブブラウザにＣＧＩを利用して識別子を通知するので、専用のプログラムを用いることなく、また、当該専用のプログラムをネットワークスキャナ装置を利用する全てのクライアント端末にインストールすることなく、ウェブブラウザのみで処理することができ、システムの投資コストと管理者の負担を削減して、より一層安価なものとすることができるとともに、操作性を向上させることができる。
【図面の簡単な説明】
【図１】本発明のネットワークスキャナシステムの一実施の形態を適用したネットワークスキャナシステムのシステム構成図。
【図２】図１のネットワークスキャナシステムによる読取作業内容設定制御処理を示すフローチャート。
【符号の説明】
１  ネットワークスキャナシステム
１０  ネットワークスキャナ装置
１１  ＣＰＵ
１２  ＲＡＭ
１３  ＲＯＭ
１４  読取制御部
１５  ネットワークＩ／Ｆ部
１６  操作部
２０  クライアント端末
ＮＷ  ネットワーク
【図１】
2004282145.tif 000003
【図２】
2004282145.tif 000004